(57)【要約】【課題】被貼付面が球面や凹凸面などの平坦でない三次元曲面からなる場合であっても、三次元曲面に沿って確実に貼り付けることができ、商品陳列や流通過程において簡単に剥がれるようなことがなく、また、外周縁部分が重なり合いあるいは離間することようなこともなく、ラベルの外観イメージを損なうことなく美麗に貼り付けることができるラベルとこのラベルを貼り付けるための貼付用治具を提供する。【解決手段】シート状になるラベル基体２の表裏いずれか一方の面が接着剤層３とされたラベル１であって、ラベル外周を除くラベル内側に位置して、１つまたは複数の切込部４を、ラベル１の表裏を貫いて形成した。また、貼付用治具は、治具先端の押さえ面形状を貼付対象面の表面形状と同じ形状とした。さらに、押さえ面を弾性変形可能な部材で構成した。【選択図】      図１
2007108492.tif 000002
【特許請求の範囲】
【請求項１】
シート状になるラベル基体の表裏いずれか一方の面が接着剤層とされたラベルであって、ラベル外周を除くラベル内側に位置して、１つまたは複数の切込部がラベルの表裏を貫いて形成されていることを特徴とするラベル。
【請求項２】
請求項１記載のラベルを被貼付面に貼り付けるための貼付用治具であって、治具先端の押さえ面形状を貼付対象面の表面形状と同じ形状としたことを特徴とする貼付用治具。
【請求項３】
前記押さえ面が弾性変形可能な部材で構成されていることを特徴とする請求項２記載の貼付用治具。
【発明の詳細な説明】
【技術分野】
【０００１】
本発明は、液体洗剤用ボトルや歯磨きチューブなどの被貼付物表面に貼付されるラベルとこのラベルを貼り付けるための貼付用治具に関し、特に、被貼付面が球面や凹凸面などの平坦でない三次元曲面からなる被貼付物に用いて好適なラベルとその貼付用治具に関するものである。
【背景技術】
【０００２】
店頭などにおける商品陳列に際しては、消費者の注意を惹きつけ、購買意欲を喚起して販売促進効果を図るため、商品の外表面に広告宣伝用のラベル（いわゆるＰＯＰシール）を貼り付けることが広く行なわれている。例えば、歯磨きチューブの場合を例にとると、図６に示すように、キャップ３１を下にして倒立陳列された歯磨きチューブ３０の上端部に、広告宣伝用のキャッチフレーズや模様、絵、写真などを印刷したラベル５０を貼付している。
【０００３】
ところで、被貼付面が凹凸のない平坦面の場合、ラベルは被貼付面に密着した状態で貼り付けることができるので、しわが寄ったり、簡単に剥がれたりするようなことはない。しかしながら、歯磨きチューブなどの軟質プラスチック容器の場合には、被貼付面が凹凸を呈し、平坦面でないことが多い。このため、このような部分にラベルを貼付すると、ラベルが密着できずに一部が浮いたり、しわが寄ったりし、せっかく貼り付けたラベルが剥がれことがあった。
【０００４】
このような問題は、軟質プラスチック容器の場合に限られるものではなく、硬質プラスチック容器の場合でも同様に発生する。例えば、図７に例示するように、液体洗剤用ボトル４０などの硬質プラスチック容器においても、ラベルの貼り付け位置が容器肩部などの球面部分であったり、被貼付面に凹部４１や凸部が存在したりすると、同様な問題が発生する。
【０００５】
従来、このような平坦でない三次元曲面部分に貼付可能なラベルとして、特許文献１に記載のものが知られている。この特許文献１に記載のラベルは、裏面に接着剤層を形成したラベル基材の外周縁よりラベル内側に向けて複数の切込部を形成したもので、球面や凹凸面などの三次元曲面からなる被貼付物（例えば果物類）に貼り付けたとき、被貼付物の形状に沿って切込部近傍のラベル基材が重なり合いあるいは隙間をつくって離間することにより、球面や凹凸面に沿って貼付できるようにしたものである。
【０００６】
【特許文献１】実用新案登録第３０５３６３９号公報（全頁、全図）
【発明の開示】
【発明が解決しようとする課題】
【０００７】
しかしながら、上記特許文献１に記載のラベルは、ラベル外周縁からの切込み方式のため、ラベルを貼り付けた際に、切込部付近においてラベル外周縁が球面や凹凸面に沿って部分的に重なり合いあるいは離間し、この部分からラベルが剥がれやすいという問題があった。また、外観的に最も目立つ外周縁部分が重なり合いあるいは離間するため、美観的にも問題があった。
【０００８】
本発明は、上記問題を解決するためになされたもので、被貼付面が球面や凹凸面などの平坦でない三次元曲面からなる場合であっても、三次元曲面に沿って確実に貼り付けることができ、商品陳列や流通過程において簡単に剥がれるようなことがなく、また、外周縁部分が重なり合いあるいは離間するようなこともなく、ラベルの外観イメージを損なうことなしに美麗に貼り付けることができるラベルと、このラベルを貼り付けるための貼付用治具を提供することを目的とするものである。
【課題を解決するための手段】
【０００９】
上記目的を達成するため、本発明は次のような手段を採用した。
すなわち、本発明のラベルは、シート状になるラベル基体の表裏いずれか一方の面が接着剤層とされたラベルであって、ラベル外周を除くラベル内側に位置して、１つまたは複数の切込部がラベルの表裏を貫いて形成されていることを特徴とするものである。
【００１０】
また、本発明の貼付用治具は、前記本発明ラベルを被貼付面に貼り付けるための治具であって、治具先端の押さえ面形状を貼付対象面の表面形状と同じ形状としたことを特徴とするものである。なお、前記押さえ面は、貼付対象面の性状に応じて、弾性変形可能な部材で構成してもよい。
【発明の効果】
【００１１】
本発明のラベルは、ラベル外周を除くラベル内側に位置して、１つまたは複数の切込部をラベルの表裏を貫いて形成したので、被貼付面が球面や凹凸面などの平坦でない三次元曲面であっても、前記切込部が三次元曲面に沿って左右に押し開かれ、ラベル全面が三次元曲面に沿うことができるようになる。このため、ラベル裏面の接着剤層の全面が被貼付面に接するようになり、接着面積を最大限に確保できるので、ラベルを確実に貼付することができる。したがって、店頭陳列時や流通過程においてラベルが簡単に剥がれてしまうようなことを防止できる。また、従来のラベル外周縁からの切込み方式のように、ラベル外周縁部が切込部付近で重なり合ったり、離間したりするようなことがないので、ラベルとしての外観イメージを損なうようなこともなくすことができる。
【００１２】
また、本発明の貼付用治具は、治具先端の押さえ面形状を貼付対象面の表面形状と同じ形状としたので、被貼付面が球面や凹凸面などの平坦でない三次元曲面であっても、その表面形状に沿ってラベルを確実に貼り付けることができる。さらに、押さえ面を弾性変形可能な部材で構成した場合には、被貼付面が柔らかくて変形する可能性がある場合でも、被貼付面に沿って確実に貼り付けることができる。
【発明を実施するための最良の形態】
【００１３】
以下、本発明の実施の形態について図面を参照して説明する。
図１に、本発明に係るラベルの第１の実施の形態を示す。（ａ）はラベルの平面図、（ｂ）は図１（ａ）中のＩ−Ｉ線断面図、（ｃ）は切込部が押し開かれた状態のラベルの平面図である。
【００１４】
この第１の実施の形態に係るラベル１は、略長方形状になるラベル基体２からなり、このラベル基体２の裏面側に接着剤層３が形成されている。また、図示は略したが、ラベル基体２の表面側には、広告宣伝用のキャッチフレーズや模様、絵、写真など、必要な図柄が予め印刷されている。なお、これらのラベル構造は従来公知のラベルと何ら変わるところはない。
【００１５】
第１の実施の形態に係るラベル１は、上記従来公知のラベル構造において、ラベル外周を除くラベル内側に位置して、切込部４をラベルの表裏を貫いて形成したものである。図１の例の場合、切込部４は上下方向に向かう直線状の切り込みからなり、この垂直直線状の切込部４を、ラベル１の下半部側に位置して、左右方向に複数本（図示例では１０本）並列に形成したものである。
【００１６】
前記ラベル基体２は、プラスチックシート単体あるいは紙シート単体で構成してもよいし、複数の素材を貼り合わせた多層構造としてもよい。例えば、三層構造とした場合の例を挙げると、最外層としてＰＥＴアルミ蒸着フィルム（厚さ５０μｍ）、中間層として紙（厚さ８０ｇ／ｍ２）、最下層として合成紙（ユポ（登録商標）：厚さ１００ｇ／ｍ２）を積層したものを用いればよい。
【００１７】
なお、上記ラベル１は、未使用時には図示を略した剥離紙に添着されており、ラベルの貼り付け時、剥離紙から剥がして使用するように構成されている。
【００１８】
図２および図３に、上記ラベル１を歯磨きチューブ３０と液体洗剤用ボトル４０のそれぞれに貼り付けた場合の例を示す。歯磨きチューブ３０のようにチューブ上端部の被貼付面が凹状を呈していたり、液体洗剤用ボトル４０のように肩部の被貼付面に凹部４１などが存在していたりしても、ラベル１の切込部４が当該凹凸面によって左右に押し開かれ、これによってラベルの全面が被貼付面に沿って張り付くようになり、凹凸面によってラベル面にしわが寄るようなことがなくなる。このため、充分な貼付面積を確保することができ、貼り付け強度が上がり、ラベルが簡単に剥がれるようなことがなくなる。また、従来のラベル外周縁からの切込み方式のようにラベル外周縁同士が切込部付近で重なり合ったり、離間したりするようなことがないので、ラベルとしての外観イメージを損なうようなこともなくなる。
【００１９】
上記ラベルの貼り付け作業は、ラベル１を直接手で被貼付面に押し付けて貼り付けてもよいが、作業の確実性と効率化の点から専用の貼付用治具を用いることが望ましい。この貼付用治具としては、治具先端の押さえ面形状を、貼付対象面の形状を転写して得られる被貼付面と同じ表面形状とし、被貼付面に押し付けたときに押さえ面が被貼付面にぴったりと沿うような形状とすればよい。
【００２０】
例えば、被貼付面が凹部形状の場合、治具先端の押さえ面の形状を当該凹部形状と相似な凸部形状とし、この押さえ面でラベルを押し広げながら被貼付面に押し当て、貼り付ければよい。こうすることにより、被貼付面が球面や凹凸面などの平坦でない三次元曲面であっても、その表面形状に沿ってラベルを確実に貼り付けることができる。なお、歯磨きチューブのように被貼付面が柔らかくて変形する可能性があるものについては、治具先端の押さえ面部材として、変形に対して追随性のあるゴムやシリコンなどの弾性変形可能な部材を用いれば、より望ましいものとなる。
【００２１】
図４に、本発明に係るラベルの第２の実施の形態を示す。
（ａ）はラベルの平面図、（ｂ）は（ａ）中のII−II線断面図、（ｃ）は切込部が押し開かれた状態のラベルの平面図である。この第２の実施の形態に係るラベル１の場合、切込部４はラベル１の左右方向の約１／３幅からなる水平直線状の切り込みからなり、この水平直線状の切込部４を、ラベル１の下半部側に位置して、上下方向に複数本（図示例では３本）並列に形成したものである。
【００２２】
図５に、本発明に係るラベルの第３の実施の形態を示す。
（ａ）はラベルの平面図、（ｂ）は（ａ）中のIII−III線断面図、（ｃ）は切込部が押し開かれた状態のラベルの平面図である。この第３の実施の形態に係るラベル１は、切込部４の形状を×印状としたもので、この×印状になる切込部４をラベル１の中央部やや下側に形成したものである。
【００２３】
なお、上記各実施の形態では、ラベルの平面形状を略長方形状とするとともに、直線状あるいは×印状の切込部４を用いたが、ラベルの平面形状や切込部４の切込み形状は自由であり、貼り付け対象とする被貼付物の種類や被貼付面の形状に合わせて最適な形状とすればよい。
【産業上の利用可能性】
【００２４】
本発明のラベルは、上記例示した液体洗剤用ボトルや歯磨きチューブなどの包装容器のみに限らず、例えば炊飯ジャーや湯沸かしポットなどの電気製品、その他、被貼付面が平坦でない三次元曲面を有する物品であれば適用可能である。
【図面の簡単な説明】
【００２５】
【図１】本発明に係るラベルの第１の実施の形態を示すもので、（ａ）はラベルの平面図、（ｂ）は図１（ａ）中のＩ−Ｉ線断面図、（ｃ）は切込部が押し開かれた状態のラベルの平面図である。
【図２】図１のラベルを貼り付けた歯ブラシチューブの例を示すもので、（ａ）はその正面図、（ｂ）はその側面図である。
【図３】図１のラベルを貼り付けた液体洗剤用ボトルの例を示すもので、（ａ）はその正面図、（ｂ）はその側面図である。
【図４】本発明に係るラベルの第２の実施の形態を示すもので、（ａ）はラベルの平面図、（ｂ）は（ａ）中のII−II線断面図、（ｃ）は切込部が押し開かれた状態のラベルの平面図である。
【図５】本発明に係るラベルの第３の実施の形態を示すもので、（ａ）はラベルの平面図、（ｂ）は（ａ）中のIII−III線断面図、（ｃ）は切込部が押し開かれた状態のラベルの平面図である。
【図６】歯ブラシチューブに従来構造のラベルを貼り付けた場合の例を示すもので、（ａ）はその正面図、（ｂ）はその側面図である。
【図７】液体洗剤用ボトルに従来構造のラベルを貼り付けた場合の例を示すもので、（ａ）はその正面図、（ｂ）はその側面図である。
【符号の説明】
【００２６】
１    ラベル
２    ラベル基体
３    接着剤層
４    切込部
３０  歯磨きチューブ
３１  キャップ
４０  液体洗剤用ボトル
４１  凹部
【図１】
2007108492.tif 000003
【図２】
2007108492.tif 000004
【図３】
2007108492.tif 000005
【図４】
2007108492.tif 000006
【図５】
2007108492.tif 000007
【図６】
2007108492.tif 000008
【図７】
2007108492.tif 000009